(57)【特許請求の範囲】
【請求項１】
ＰＨＳ用中継器と一群のＰＨＳ端末とのＰＨＳ親子登録を行う場合のＰＨＳ自動親子登録システムにおいて、ＰＨＳ公衆モード無線通信により前記ＰＨＳ親子登録の自動制御を行う登録制御装置と、ＰＨＳ無線通信を中継する前記ＰＨＳ用中継器であり前記登録制御装置とは前記ＰＨＳ公衆モード無線通信を行い前記ＰＨＳ端末とはＰＨＳ自営モード無線通信を行う登録用中継器と、前記登録制御装置から受信した通信データに基づきシリアルインタフェース通信により前記ＰＨＳ端末にコマンドを送信する事によって前記ＰＨＳ端末を制御する端末制御装置と、ＰＨＳ無線通信を中継する前記ＰＨＳ用中継器であり前記登録制御装置とはＰＨＳ公衆モード無線通信を行い前記ＰＨＳ端末とは前記ＰＨＳ自営モード無線通信を行い前記ＰＨＳ公衆モード無線通信によって着信した時に発信番号を取得し取得した前記発信番号に基づいて自身が登録モードへ移行するＰＨＳ親子登録用中継器と、前記登録制御装置から前記登録用中継器を介して受信した通信データに基づき前記端末制御装置が前記シリアルインタフェース通信によって送信してきた前記コマンドに基づいて自身が登録モードへ移行し前記登録モードへ移行した前記ＰＨＳ親子登録用中継器と親子登録を行う前記ＰＨＳ端末とを含んで構成されることを特徴とするＰＨＳ自動親子登録システム。
【請求項２】
前記ＰＨＳ端末は親子登録により自身に登録する前記ＰＨＳ用中継器のＣＳＩＤを複数個ＣＳＩＤ記憶部に登録ならしめる複数ＣＳＩＤ登録手段と、前記複数個のＣＳＩＤの何れか１個のＣＳＩＤをオープンサーチにより選択し選択した前記ＣＳＩＤの前記ＰＨＳ用中継器とのＰＨＳ自営モード無線通信を行う中継器自自動選択手段を備えることを特徴とする請求項１記載のＰＨＳ自動親子登録システム。
【請求項３】
前記複数ＣＳＩＤ登録手段により登録される複数個の前記ＰＨＳ用中継器の前記ＣＳＩＤを記憶する複数個の前記ＣＳＩＤ記憶部の１個以上は前記登録用中継器に割り当てて、前記登録用中継器の前記ＣＳＩＤは予め前記ＣＳＩＤ記憶部に登録しておくことを特徴とする請求項２記載のＰＨＳ自動親子登録システム。
【請求項４】
前記登録制御装置は前記ＰＨＳ親子登録用中継器に発信する時に、親子登録用の特定のサブアドレス番号（以下「登録用サブアドレス」と記す）を前記ＰＨＳ親子登録用中継器の電話番号に付加して前記発信番号としてダイヤルし、前記ＰＨＳ親子登録用中継器は前記登録用サブアドレスと同一のサブアドレス番号を予め記憶しておき前記ＰＨＳ公衆モード無線通信によって着信時に前記発信番号からサブアドレス番号を取得し前記取得したサブアドレス番号と前記自身に記憶されている登録用サブアドレスが一致した場合のみ前記登録モードへ移行することを特徴とする請求項１記載のＰＨＳ自動親子登録システム。
【請求項５】
前記ＰＨＳ端末は親子登録の結果を前記端末制御装置へ送信し、前記親子登録の結果を受信した端末制御装置は前記受信した親子登録の結果を前記登録制御装置へ送信し、前記親子登録の結果を受信した前記登録制御装置は前記受信した親子登録の結果と該ＰＨＳ端末の内線番号を表示装置に一覧表示することを特徴とする請求項１記載のＰＨＳ自動親子登録システム。
【請求項６】
前記登録制御装置は前記端末制御装置に発信する時に、システム認証用の特定のサブアドレス番号（以下「認証用サブアドレス」と記す）が付加された前記発信番号をダイヤルし、前記端末制御装置は前記認証用サブアドレスと同一のサブアドレス番号を予め記憶しておき前記ＰＨＳ自営モード無線通信によって着信時に前記発信番号から前記サブアドレス番号を取得し、前記取得したサブアドレス番号と前記自身に記憶されている前記認証用サブアドレスが一致した場合のみ前記ＰＨＳ端末へ前記登録モードへの移行を前記コマンドにより指示することを特徴とする請求項１記載のＰＨＳ自動親子登録システム。
【請求項７】
ＰＨＳ用中継器と一群のＰＨＳ端末とのＰＨＳ親子登録を行う場合のＰＨＳ自動親子登録方法において、ＰＨＳ公衆モード無線通信により前記ＰＨＳ親子登録の自動制御を行う登録制御装置と、ＰＨＳ無線通信を中継する前記ＰＨＳ用中継器であり前記登録制御装置とは前記ＰＨＳ公衆モード無線通信を行い前記ＰＨＳ端末とはＰＨＳ自営モード無線通信を行う登録用中継器と、前記登録制御装置から受信した通信データに基づきシリアルインタフェース通信により前記ＰＨＳ端末にコマンドを送信する事によって前記ＰＨＳ端末を制御する端末制御装置と、ＰＨＳ無線通信を中継する前記ＰＨＳ用中継器であり前記登録制御装置とはＰＨＳ公衆モード無線通信を行い前記ＰＨＳ端末とは前記ＰＨＳ自営モード無線通信を行い前記ＰＨＳ公衆モード無線通信によって着信した時に発信番号を取得し取得した前記発信番号に基づいて自身が登録モードへ移行するＰＨＳ親子登録用中継器とを予め具備し、前記ＰＨＳ端末は、前記登録制御装置から前記登録用中継器を介して受信した通信データに基づき前記端末制御装置が前記シリアルインタフェース通信によって送信してきた前記コマンドに基づいて自身が登録モードへ移行し前記登録モードへ移行した前記ＰＨＳ親子登録用中継器と親子登録を行うことを特徴とするＰＨＳ自動親子登録方法。
【請求項８】
前記ＰＨＳ端末は親子登録により自身に登録する前記ＰＨＳ用中継器のＣＳＩＤを複数個記憶するＣＳＩＤ記憶部を有し、前記複数個のＣＳＩＤの何れか１個のＣＳＩＤをオープンサーチにより選択し選択した前記ＣＳＩＤの前記ＰＨＳ用中継器とのＰＨＳ自営モード無線通信を行うことを特徴とする請求項７記載のＰＨＳ自動親子登録方法。
【請求項９】
複数個の前記ＰＨＳ用中継器の前記ＣＳＩＤを記憶する複数個の前記ＣＳＩＤ記憶部の１個以上は前記登録用中継器に割り当てて、前記登録用中継器の前記ＣＳＩＤは予め前記ＣＳＩＤ記憶部に登録しておくことを特徴とする請求項８記載のＰＨＳ自動親子登録方法。
【請求項１０】
前記登録制御装置は前記ＰＨＳ親子登録用中継器に発信する時に、親子登録用の特定のサブアドレス番号（以下「登録用サブアドレス」と記す）を前記ＰＨＳ親子登録用中継器の電話番号に付加して前記発信番号としてダイヤルし、前記ＰＨＳ親子登録用中継器は前記登録用サブアドレスと同一のサブアドレス番号を予め記憶しておき前記ＰＨＳ公衆モード無線通信によって着信時に前記発信番号からサブアドレス番号を取得し前記取得したサブアドレス番号と前記自身に記憶されている登録用サブアドレスが一致した場合のみ前記登録モードへ移行することを特徴とする請求項７記載のＰＨＳ自動親子登録方法。
【請求項１１】
前記ＰＨＳ端末は親子登録の結果を前記端末制御装置へ送信し、前記親子登録の結果を受信した端末制御装置は前記受信した親子登録の結果を前記登録制御装置へ送信し、前記親子登録の結果を受信した前記登録制御装置は前記受信した親子登録の結果と該ＰＨＳ端末の内線番号を表示装置に一覧表示することを特徴とする請求項７記載のＰＨＳ自動親子登録方法。
【請求項１２】
前記登録制御装置は前記端末制御装置に発信する時に、システム認証用の特定のサブアドレス番号（以下「認証用サブアドレス」と記す）が付加された前記発信番号をダイヤルし、前記端末制御装置は前記認証用サブアドレスと同一のサブアドレス番号を予め記憶しておき前記ＰＨＳ自営モード無線通信によって着信時に前記発信番号から前記サブアドレス番号を取得し、前記取得したサブアドレス番号と前記自身に記憶されている前記認証用サブアドレスが一致した場合のみ前記ＰＨＳ端末へ前記登録モードへの移行を前記コマンドにより指示することを特徴とする請求項７記載のＰＨＳ自動親子登録方法。
【発明の詳細な説明】
【０００１】
【発明の属する技術分野】
本発明は、ＰＨＳ親子通信機能を用いた電力、水道、ガス等のテレメトリングシステムを設置又は保守する技術に関し、特にＰＨＳ親子登録の効率を向上させるＰＨＳ自動親子登録システム及びＰＨＳ自動親子登録方法に関する。
【０００２】
【従来の技術】
テレメトリングシステムは、電力、水道、ガス等のメータに取り付けられた検針用の装置がメータの指針値を自動的に読み取り、通信回線を利用して読み取った指針値を、管理センタに設置された管理用のサーバやパソコンに送信する事で、検針を自動的に行うシステムである。
【０００３】
従って、検針の担当者が各家宅を一軒ずつまわらなくても良いが、通信回線は各家宅の一般加入電話回線を顧客と共用する為、システム導入時に顧客から一般加入電話回線の共用の承諾を得る必要や、システム設置時に電話線の引き回し工事を行う必要や、顧客が電話回線を使用中の場合に検針が出来ない制限や、一般加入電話回線に加入していない家宅には導入出来ない等の問題点があった。なお前記一般加入電話回線に加入していない家宅にシステムを導入出来ない問題点は、最近の携帯電話やＰＨＳの普及に伴い顕在化している。
【０００４】
近年になりＰＨＳ回線を利用したテレメトリングシステムが開発されたが、ＰＨＳ回線を利用した場合、ＰＨＳ回線は事業者が専用出来、各家宅の一般加入電話回線を顧客と共用する必要が無いので、上述した一般加入電話回線を利用する場合の問題がなくなるという利点があった。
【０００５】
しかし、ＰＨＳ回線を利用したテレメトリングシステムの場合、１家宅につき１回線分のＰＨＳ回線基本料金を支払う必要があり、一般加入電話回線を顧客と共用する場合と比較して割高となってしまうという問題点があった。
【０００６】
そこで、ＰＨＳ中継器を用いる方式が開発された。ＰＨＳ中継器はＰＨＳ通信を中継する装置であり、ＰＨＳ中継器と親子関係を登録した任意の１台のＰＨＳモジュールとのＰＨＳ通信の中継を行う。
【０００７】
ＰＨＳ中継器を使用すると、ＰＨＳ回線１回線の契約でも複数のＰＨＳモジュールによる通信が可能となる。即ち、ＰＨＳ中継器はＰＨＳ基地局とは公衆モードで通信を行い、これは通常のＰＨＳ回線契約と同等である。従って、ＰＨＳ回線１回線分の基本料金の負担が発生する。しかし、ＰＨＳ中継器とＰＨＳモジュールは自営モードで通信を行い、自営モードの通信はＰＨＳ回線契約が不要なので基本料金の負担が発生しない。
【０００８】
例えば、ＰＨＳ中継器にＰＨＳモジュールを子機として２０台登録した場合でも基本料金は１回線分で済む。
【０００９】
従って、ＰＨＳ中継器をテレメトリングシステムに利用する事で、上記ＰＨＳ回線基本料金の負担を軽減出来る。
【００１０】
ＰＨＳ中継器は、テレメトリングシステムを、例えば集合住宅に導入する場合に使用され、各家宅に設置されたＰＨＳ端末と自営モードで通信可能な場所に、１台または電波状況に応じた必要分の台数が設置される。
【００１１】
【発明が解決しようとする課題】
しかしながら、従来のＰＨＳ中継器を用いたテレメトリングシステムでは、ＰＨＳ中継器が故障した場合、ＰＨＳ中継器を保守交換するが、保守交換で新たに設置されるＰＨＳ中継器は、既に各家宅に設置されているＰＨＳ端末とは親子登録がされていないので、各家宅のＰＨＳ端末が新たに設置されるＰＨＳ中継器と自営モードで通信を行う為には、新たに設置されるＰＨＳ中継器と各家宅のＰＨＳ端末で１組ずつ親子登録を行う必要があるが、従来は、現地で保守員が１組ずつ手動で親子登録を行っていた。更に、各家宅に設置されているＰＨＳ端末は取り外しが出来ない為、ＰＨＳ端末を操作する保守員は各家宅を１軒ずつまわって作業を行う必要があった。この場合、保守員がＰＨＳ用中継器及びＰＨＳ端末を手動で直接電源オフ／オンする必要があり、且つ前記ＰＨＳ用中継器の電源オフ／オンと前記ＰＨＳ端末の電源オフ／オンのタイミングは同期させる必要があった。これらの結果、保守員１人当たりでＰＨＳ親子登録が行える台数に限界があり、極めて効率が低いものであった。
【００１２】
また従来のＰＨＳモジュールは、親子登録でＰＨＳ中継器を登録するエリアが１つしかない為、前述のようにＰＨＳ中継器の保守交換を行った場合、保守交換後のＰＨＳ中継器との親子登録が完了するまでは管理センタと通信が出来ないという問題点があった。
【００１３】
さらに、従来のＰＨＳ端末は、着信時に管理センタを識別する手段が無い為、他の事業者の管理センタでの誤操作により登録モードが誤動作してしまう可能性があるという問題点があった。
【００１４】
本発明は、上記課題を解決する事により、ＰＨＳ親子登録の効率を向上させることを目的とする。
【００１５】
【課題を解決するための手段】
本願の第１の発明は、ＰＨＳ用中継器と一群のＰＨＳ端末とのＰＨＳ親子登録を行う場合のＰＨＳ自動親子登録システムにおいて、ＰＨＳ公衆モード無線通信により前記ＰＨＳ親子登録の自動制御を行う登録制御装置と、ＰＨＳ無線通信を中継する前記ＰＨＳ用中継器であり前記登録制御装置とは前記ＰＨＳ公衆モード無線通信を行い前記ＰＨＳ端末とはＰＨＳ自営モード無線通信を行う登録用中継器と、前記登録制御装置から受信した通信データに基づきシリアルインタフェース通信により前記ＰＨＳ端末にコマンドを送信する事によって前記ＰＨＳ端末を制御する端末制御装置と、ＰＨＳ無線通信を中継する前記ＰＨＳ用中継器であり前記登録制御装置とはＰＨＳ公衆モード無線通信を行い前記ＰＨＳ端末とは前記ＰＨＳ自営モード無線通信を行い前記ＰＨＳ公衆モード無線通信によって着信した時に発信番号を取得し取得した前記発信番号に基づいて自身が登録モードへ移行するＰＨＳ親子登録用中継器と、前記登録制御装置から前記登録用中継器を介して受信した通信データに基づき前記端末制御装置が前記シリアルインタフェース通信によって送信してきた前記コマンドに基づいて自身が登録モードへ移行し前記登録モードへ移行した前記ＰＨＳ親子登録用中継器と親子登録を行う前記ＰＨＳ端末とを含んで構成されることを特徴とする。
【００１６】
本願の第２の発明は、第１の発明の前記ＰＨＳ端末は親子登録により自身に登録する前記ＰＨＳ用中継器のＣＳＩＤを複数個ＣＳＩＤ記憶部に登録ならしめる複数ＣＳＩＤ登録手段と、前記複数個のＣＳＩＤの何れか１個のＣＳＩＤをオープンサーチにより選択し選択した前記ＣＳＩＤの前記ＰＨＳ用中継器とのＰＨＳ自営モード無線通信を行う中継器自自動選択手段を備えることを特徴とする。
【００１７】
本願の第３の発明は、第２の発明の前記複数ＣＳＩＤ登録手段により登録される複数個の前記ＰＨＳ用中継器の前記ＣＳＩＤを記憶する複数個の前記ＣＳＩＤ記憶部の１個以上は前記登録用中継器に割り当てて、前記登録用中継器の前記ＣＳＩＤは予め前記ＣＳＩＤ記憶部に登録しておくことを特徴とする。
【００１８】
本願の第４の発明は、第１の発明の前記登録制御装置は前記ＰＨＳ親子登録用中継器に発信する時に、親子登録用の特定のサブアドレス番号（以下「登録用サブアドレス」と記す）を前記ＰＨＳ親子登録用中継器の電話番号に付加して前記発信番号としてダイヤルし、前記ＰＨＳ親子登録用中継器は前記登録用サブアドレスと同一のサブアドレス番号を予め記憶しておき前記ＰＨＳ公衆モード無線通信によって着信時に前記発信番号からサブアドレス番号を取得し前記取得したサブアドレス番号と前記自身に記憶されている登録用サブアドレスが一致した場合のみ前記登録モードへ移行することを特徴とする。
【００１９】
本願の第５の発明は、第１の発明の前記ＰＨＳ端末は親子登録の結果を前記端末制御装置へ送信し、前記親子登録の結果を受信した端末制御装置は前記受信した親子登録の結果を前記登録制御装置へ送信し、前記親子登録の結果を受信した前記登録制御装置は前記受信した親子登録の結果と該ＰＨＳ端末の内線番号を表示装置に一覧表示することを特徴とする。
【００２０】
本願の第６の発明は、第１の発明の前記登録制御装置は前記端末制御装置に発信する時に、システム認証用の特定のサブアドレス番号（以下「認証用サブアドレス」と記す）が付加された前記発信番号をダイヤルし、前記端末制御装置は前記認証用サブアドレスと同一のサブアドレス番号を予め記憶しておき前記ＰＨＳ自営モード無線通信によって着信時に前記発信番号から前記サブアドレス番号を取得し、前記取得したサブアドレス番号と前記自身に記憶されている前記認証用サブアドレスが一致した場合のみ前記ＰＨＳ端末へ前記登録モードへの移行を前記コマンドにより指示することを特徴とする。
【００２１】
本願の第７の発明は、ＰＨＳ用中継器と一群のＰＨＳ端末とのＰＨＳ親子登録を行う場合のＰＨＳ自動親子登録方法において、ＰＨＳ公衆モード無線通信により前記ＰＨＳ親子登録の自動制御を行う登録制御装置と、ＰＨＳ無線通信を中継する前記ＰＨＳ用中継器であり前記登録制御装置とは前記ＰＨＳ公衆モード無線通信を行い前記ＰＨＳ端末とはＰＨＳ自営モード無線通信を行う登録用中継器と、前記登録制御装置から受信した通信データに基づきシリアルインタフェース通信により前記ＰＨＳ端末にコマンドを送信する事によって前記ＰＨＳ端末を制御する端末制御装置と、ＰＨＳ無線通信を中継する前記ＰＨＳ用中継器であり前記登録制御装置とはＰＨＳ公衆モード無線通信を行い前記ＰＨＳ端末とは前記ＰＨＳ自営モード無線通信を行い前記ＰＨＳ公衆モード無線通信によって着信した時に発信番号を取得し取得した前記発信番号に基づいて自身が登録モードへ移行するＰＨＳ親子登録用中継器とを予め具備し、前記ＰＨＳ端末は、前記登録制御装置から前記登録用中継器を介して受信した通信データに基づき前記端末制御装置が前記シリアルインタフェース通信によって送信してきた前記コマンドに基づいて自身が登録モードへ移行し前記登録モードへ移行した前記ＰＨＳ親子登録用中継器と親子登録を行うことを特徴とする。
【００２２】
本願の第８の発明は、第７の発明の前記ＰＨＳ端末は親子登録により自身に登録する前記ＰＨＳ用中継器のＣＳＩＤを複数個記憶するＣＳＩＤ記憶部を有し、前記複数個のＣＳＩＤの何れか１個のＣＳＩＤをオープンサーチにより選択し選択した前記ＣＳＩＤの前記ＰＨＳ用中継器とのＰＨＳ自営モード無線通信を行うことを特徴とする。
【００２３】
本願の第９の発明は、第８の発明の複数個の前記ＰＨＳ用中継器の前記ＣＳＩＤを記憶する複数個の前記ＣＳＩＤ記憶部の１個以上は前記登録用中継器に割り当てて、前記登録用中継器の前記ＣＳＩＤは予め前記ＣＳＩＤ記憶部に登録しておくことを特徴とする。
【００２４】
本願の第１０の発明は、第７の発明の前記登録制御装置は前記ＰＨＳ親子登録用中継器に発信する時に、親子登録用の特定のサブアドレス番号（以下「登録用サブアドレス」と記す）を前記ＰＨＳ親子登録用中継器の電話番号に付加して前記発信番号としてダイヤルし、前記ＰＨＳ親子登録用中継器は前記登録用サブアドレスと同一のサブアドレス番号を予め記憶しておき前記ＰＨＳ公衆モード無線通信によって着信時に前記発信番号からサブアドレス番号を取得し前記取得したサブアドレス番号と前記自身に記憶されている登録用サブアドレスが一致した場合のみ前記登録モードへ移行することを特徴とする。
【００２５】
本願の第１１の発明は、第７の発明の前記ＰＨＳ端末は親子登録の結果を前記端末制御装置へ送信し、前記親子登録の結果を受信した端末制御装置は前記受信した親子登録の結果を前記登録制御装置へ送信し、前記親子登録の結果を受信した前記登録制御装置は前記受信した親子登録の結果と該ＰＨＳ端末の内線番号を表示装置に一覧表示することを特徴とする。
【００２６】
本願の第１２の発明は、第７の発明の前記登録制御装置は前記端末制御装置に発信する時に、システム認証用の特定のサブアドレス番号（以下「認証用サブアドレス」と記す）が付加された前記発信番号をダイヤルし、前記端末制御装置は前記認証用サブアドレスと同一のサブアドレス番号を予め記憶しておき前記ＰＨＳ自営モード無線通信によって着信時に前記発信番号から前記サブアドレス番号を取得し、前記取得したサブアドレス番号と前記自身に記憶されている前記認証用サブアドレスが一致した場合のみ前記ＰＨＳ端末へ前記登録モードへの移行を前記コマンドにより指示することを特徴とする。
【００２７】
［作用］
登録制御装置に親子登録を指示すると自動的に親子登録が行われるので、親子登録の操作の煩雑さが解消される。更に、同時に複数台の端末を対象にして、登録制御装置に親子登録を指示すると、前記指示した全端末の親子登録が自動的に行われ、且つ前記指示した全端末の親子登録の結果が登録制御装置の表示装置に一覧表示されるので、前記親子登録の間に保守員は別の作業を行う事が可能となり、親子登録の操作の煩雑さを解消すると共に、保守員１人当たりの親子登録の時間効率が改善される。
【００２８】
【発明の実施の形態】
次に本発明の実施の形態について図面を参照しながら説明する。
【００２９】
図１は、本発明の第一の実施の形態を示すシステム構成図である。
【００３０】
図１を参照すると、本実施の形態は、登録制御装置４と登録用中継器５と中継器７と端末１０と端末制御装置１１から構成されるＰＨＳ親子自動登録システム１と、ＰＨＳ基地局２から構成される。端末１０の台数は、親子登録を行う端末の台数である。本実施例は、端末１０が４台の場合である。端末制御装置１１は、端末１０と一対一で接続される。従って、端末制御装置１１の台数は、端末１０の台数と同一になる。本実施例では端末１０が４台なので、端末制御装置１１も４台である。前記端末１０の台数は、親子登録を行う端末の台数なので、本実施例の様にその台数が４台に限定される訳ではない。同様に前記端末制御装置１１の台数も４台に限定される訳ではない。
【００３１】
ＰＨＳ親子自動登録システム１は、親子登録を行う施設、例えば保守センタ、に設置されている。ＰＨＳ基地局２は、ＰＨＳ回線業者により全国に配置されている。
【００３２】
ＰＨＳ基地局２はＰＨＳ基地局アンテナ３を備えている。登録用中継器５はＰＨＳアンテナ６を備えている。中継器７はＰＨＳアンテナ８を備えている。端末１０はＰＨＳアンテナ９を備えている。
【００３３】
登録制御装置４はＩＳＤＮ通信回線網１２を経由してＰＨＳ基地局２と接続されており、登録制御装置４とＰＨＳ基地局２はＰＩＡＦＳモードでＩＳＤＮ通信を行う。ＰＨＳ基地局２がＰＨＳ基地局アンテナ３を使用し、登録用中継器５がＰＨＳアンテナ６使用し、ＰＨＳ基地局２と登録用中継器５はＰＨＳ公衆モード無線通信を行う。ＰＨＳ基地局２がＰＨＳ基地局アンテナ３を使用し、中継器７がＰＨＳアンテナ８を使用し、ＰＨＳ基地局２と中継器７はＰＨＳ公衆モード無線通信を行う。登録用中継器５がＰＨＳアンテナ６を使用し、端末１０がＰＨＳアンテナ９を使用し、登録用中継器５と端末１０はＰＨＳ自営モード無線通信を行う。同様に、中継器７がＰＨＳアンテナ８を使用し、端末１０がＰＨＳアンテナ９を使用し、中継器７と端末１０はＰＨＳ自営モード無線通信を行う。端末１０と端末制御装置１１は、データ通信インタフェース、本実施例ではＲＳ−２３２Ｃシリアルインタフェースで接続され、ＲＳ−２３２Ｃシリアル通信を行う。前記端末１０と端末制御装置１１を接続するデータ通信インタフェースは、本実施例の様にＲＳ−２３２Ｃシリアルインタフェースに限定される訳ではない。例えば、端末１０と端末制御装置１１をブルートゥースで接続しても良い。
【００３４】
図２に、登録制御装置４の構成を示す。
【００３５】
登録制御装置４は、ディスプレイ２０と、パーソナルコンピュータ２１と、キーボード２３と、プリンタ２４と、ターミナルアダプタ２５と、マウス２６から構成される。パーソナルコンピュータ２１には、親子登録の自動制御行う親子登録制御用アプリケーション（以下「登録アプリ」と記す）２２がインストールされている。パーソナルコンピュータ２１には、ディスプレイ２０と、キーボード２３と、プリンタ２４と、ターミナルアダプタ２５と、マウス２６が接続されている。ディスプレイ２０は登録アプリ２２の実行画面を表示する。キーボード２３及びマウス２６は、登録アプリ２２への指示やデータの入力に使用する。ターミナルアダプタ２５は、ＩＳＤＮ通信回線網１２に接続されており、登録アプリ２２の制御によりＰＩＡＦＳモードでＩＳＤＮ通信を行う。プリンタ２４は、ディスプレイ２０の表示内容を印刷する。前記プリンタ２４によるディスプレイ２０の表示内容の印刷を行わなくとも本発明の親子登録は可能であり、登録制御装置４は、プリンタ２４が無い構成でも良い。
【００３６】
図３に、登録用中継器５の構成を示す。
【００３７】
登録用中継器５は、登録用中継器本体３０と、ＰＨＳアンテナ６から構成される。
【００３８】
登録用中継器本体３０には登録用中継器制御ソフトウェア３１がインストールされており、ＰＨＳ無線親子通信に於けるＰＨＳ無線通信の中継を行う。登録用中継器制御ソフトウェア３１は、中継器側登録モード移行手段３２と登録用サブアドレス記憶部３３を備える。中継器側登録モード移行手段３２及び登録用サブアドレス記憶部３３は、登録用中継機５を中継器７に流用する事を可能ならしめる為のものであり、本実施例では登録用中継機５と中継器７の構成は同一である。前記の様に登録用中継器５と中継器７の構成が同一でなく、前記登録用中継器制御ソフトウェア３１が中継器側登録モード移行手段３２と登録用サブアドレス記憶部３３を備えなくとも本発明の親子登録は可能であり、登録用中継器５は、登録用中継器制御ソフトウェア３１が中継器側登録モード移行手段３２と登録用サブアドレス記憶部３３を備えない構成でも良い。
【００３９】
図４に、中継器７の構成を示す。
【００４０】
中継器７は、中継器本体４０と、ＰＨＳアンテナ８から構成される。
【００４１】
中継器本体４０には中継器制御ソフトウェア４１がインストールされており、ＰＨＳ無線親子通信に於けるＰＨＳ無線通信の中継を行う。中継器制御ソフトウェア４１は、中継器側登録モード移行手段４２と登録用サブアドレス記憶部４３を備える。登録用サブアドレス記憶部４３は、登録用サブアドレスを予め登録し記憶しておく。中継器側登録モード移行手段４２は、ＰＨＳ公衆モード無線通信手段によって着信があった場合に前記登録用サブアドレス記憶部４３に記憶されている登録用サブアドレスと前記着信時の着信番号に含まれるサブアドレス番号を比較する。前記比較結果が一致した場合、中継器側登録モード移行手段４２は中継器７を登録モードへ移行させる。前記比較結果が一致しなかった場合、中継器側登録モード移行手段４２は中継器７を登録モードへ移行させない。
【００４２】
図５に、端末１０の構成を示す。
【００４３】
端末１０は、端末本体５０と、ＰＨＳアンテナ９から構成される。端末本体５０には端末制御ソフトウェア５１がインストールされており、ＰＨＳ自営モード無線通信又はＲＳ−２３２Ｃシリアル通信を行う。端末制御ソフトウェア５１は、端末側登録モード移行手段５２と、複数ＣＳＩＤ同時登録手段５３と、中継器自動選択手段５４と、ＣＳＩＤ１記憶部５５と、ＣＳＩＤ２記憶部５６と、ＣＳＩＤ３記憶部５７を備える。端末側登録モード移行手段５２は、ＲＳ−２３２Ｃシリアル通信手段によって端末制御装置１１から端末側登録モード移行要求を受信した場合、端末１０を登録モードへ移行させる。複数ＣＳＩＤ同時登録手段５３は、３個のＣＳＩＤ、例えばＣＳＩＤ１と、ＣＳＩＤ２と、ＣＳＩＤ３に、それぞれ別個の記憶部、ＣＳＩＤ１記憶部５５と、ＣＳＩＤ２記憶部５６と、ＣＳＩＤ３記憶部５７を割り当てる。前記記憶部の割り当ては、ＣＳＩＤ１をＣＳＩＤ１記憶部５５に割り当てて、ＣＳＩＤ２をＣＳＩＤ２記憶部５６に割り当てて、ＣＳＩＤ３をＣＳＩＤ３記憶部５７に割り当てる。複数ＣＳＩＤ同時登録手段５３は、ＣＳＩＤ１をＣＳＩＤ１記憶部５５に登録し、ＣＳＩＤ２をＣＳＩＤ２記憶部５６に登録し、ＣＳＩＤ３をＣＳＩＤ３記憶部５７に登録する。ＣＳＩＤ１記憶部５５は前記登録されたＣＳＩＤ１を記憶し、ＣＳＩＤ２記憶部５６は前記登録されたＣＳＩＤ２を記憶し、ＣＳＩＤ３記憶部５７は前記登録されたＣＳＩＤ３を記憶する。端末１０は、３個のＣＳＩＤを同時に登録し記憶するが、前記複数個同時に登録し記憶するＣＳＩＤの個数は、３個に限定される訳ではない。通常運用に使用する１個のＣＳＩＤに加えて、本発明の親子登録に使用するＣＳＩＤが１個以上あれば良いので、前記複数個同時に登録し記憶するＣＳＩＤの個数は、２個以上であれば良い。前記中継器自動選択手段５４は、前記記憶されている３個のＣＳＩＤの中から自動的に１個のＣＳＩＤを選択する。端末１０は、前記中継器自動選択手段５４によって選択されたＣＳＩＤの中継器又は登録用中継器とＰＨＳ自営モード無線通信を行う。中継器自動選択手段５４は、前記記憶されているＣＳＩＤが３個でない場合も、前記と同様に記憶されている全てのＣＳＩＤの中から自動的に１個のＣＳＩＤを選択する。
【００４４】
図６に、端末制御装置１１の構成を示す。
【００４５】
端末制御装置１１では、端末制御装置制御ソフトウェア６０が実行されており、ＲＳ−２３２Ｃシリアル通信手段によって端末１０とＲＳ−２３２Ｃシリアル通信を行い、端末１０の制御を行う。端末制御装置制御ソフトウェア６０は、端末側登録モード移行指示受信手段６１と、端末側登録モード移行要求手段６２を備える。端末側登録モード移行指示受信手段６１は、端末１０からＲＳ−２３２Ｃシリアル通信手段によって、登録制御装置４からＰＨＳ無線親子通信手段によって送信される端末側登録モード移行指示を受信する。端末側登録モード移行要求手段６２は、前記端末側登録モード移行指示受信手段６１によって前記端末側登録モード移行指示を受信した場合、ＲＳ−２３２Ｃシリアル通信手段によって端末側登録モード移行要求を端末１０へ送信する。
【００４６】
図７に、親子登録の手順を示す。
【００４７】
先ず、通常運用で使用する中継器のＣＳＩＤは、ＣＳＩＤ１記憶部５５に登録し記憶しておき、登録用中継器５のＣＳＩＤは、ＣＳＩＤ２記憶部５６に予め登録し記憶しておく。ＣＳＩＤ３記憶部５７には、図示しない別の登録用中継器のＣＳＩＤを予め登録し記憶しておく。端末１０は、中継器自動選択手段５４によって、前記記憶されている３個のＣＳＩＤの中から自動的に１個のＣＳＩＤを選択し、前記選択されたＣＳＩＤの登録用中継器又は中継器とＰＨＳ無線親子通信を行う。従って、端末１０は、前記通常運用で使用する中継器が故障した場合、前記ＣＳＩＤ２記憶部５６に記憶されているＣＳＩＤにより、登録用中継器５とＰＨＳ無線親子通信を行う事が可能である。又、前記登録用中継器５の代わりに前記図示しない別の登録用中継器を使用した場合、前記ＣＳＩＤ３記憶部５７に記憶されているＣＳＩＤにより、前記図示しない別の登録用中継器とＰＨＳ無線親子通信を行う事が可能である。
【００４８】
図８に、中継器自動選択の手順を示す。
【００４９】
中継器自動選択が開始されると、自営モードでオープンサーチが行われる（１００）。前記オープンサーチは、通常のＰＨＳ端末が自営モードで行うオープンサーチと同様である。前記オープンサーチは、端末１０で受信される電界強度レベルが最大且つ前記電界強度レベルが端末１０で待ち受け可能なレベル以上のＰＨＳ用中継器を検索し、前記検索されたＰＨＳ用中継器のＣＳＩＤを取得する。登録用中継器５及び中継器７もＰＨＳ用中継器の１種であるので、前記オープンサーチの検索対象となる。前記取得したＣＳＩＤとＣＳＩＤ１を比較し（１０１）、前記比較結果が一致した場合、端末１０はＣＳＩＤ１のＣＳＩＤを有する中継器に待ち受ける（１０２）。前記１０１の比較結果が一致しなかった場合は前記１００で取得したＣＳＩＤとＣＳＩＤ２を比較し（１０３）、前記比較結果が一致した場合、端末１０はＣＳＩＤ２のＣＳＩＤを有する中継器に待ち受ける（１０４）。前記１０３の比較結果が一致しなかった場合は前記１００で取得したＣＳＩＤとＣＳＩＤ３を比較し（１０５）、前記比較結果が一致した場合、端末１０はＣＳＩＤ３のＣＳＩＤを有する中継器に待ち受ける（１０６）。前記１０５の比較結果が一致しなかった場合はオープンサーチに戻る（１００）。以上の手順で端末１０が待ち受ける中継器が選択され、前記選択された中継器と端末１０はＰＨＳ無線親子通信を行う。端末１０に複数個同時に登録し記憶出来るＣＳＩＤが３個でない場合も、上記手順と同様に、オープンサーチで取得したＣＳＩＤと、端末１０に記憶されている全てのＣＳＩＤを、１個づつ順番に比較し、前記比較結果が一致したＣＳＩＤを有する中継器と端末１０がＰＨＳ無線親子通信を行う。親子登録を行う作業者、例えば保守員が、登録制御装置４の登録アプリ２２に親子登録を指示すると、登録制御装置４は、ＰＨＳ無線親子通信手段によって、端末側登録モード移行指示を端末制御装置１１へ送信する（▲１▼）。前記端末側登録モード移行指示は、登録制御装置４から送信されると登録用中継器５でＰＨＳ無線親子通信の中継が行われて端末１０へ送信され、端末１０は、前記登録用中継器５で中継された端末側登録モード移行指示を受信し、前記受信した端末側登録モード移行指示をＲＳ−２３２Ｃシリアル通信手段によって端末制御装置１１へ送信する。前記登録制御装置４からの端末側登録モード移行指示を受信した端末制御装置１１は、登録制御装置４へ応答を送信し（▲２▼）、その後、端末１０へ端末側登録モード移行要求を送信する（▲３▼）。
【００５０】
図９に、端末側登録モード移行指示受信及び端末側登録モード移行要求の手順を示す。
【００５１】
端末１０は、待ち受けを行い（２００）、着信したか判定する（２０１）。前記判定結果が着信であった場合、データ受信を行う（２０２）。前記判定結果が着信でなかった場合は待ち受けに戻る（２００）。次に、前記受信したデータが登録制御装置４からの端末側登録モード移行指示かどうか判定し（２０３）、前記判定結果が登録制御装置４からの端末側登録モード移行指示であった場合、登録制御装置４へ応答を送信し（２０４）、その後、端末１０へ端末側登録モード移行要求を送信する（２０５）。前記判定結果が登録制御装置４からの登録モード移行指示でなかった場合は待ち受けに戻る（２００）。
【００５２】
端末制御装置１１からの端末側登録モード移行要求を受信した端末１０は、登録モードへ移行する（▲４▼）。登録モードへ移行した端末１０は、ＰＨＳ自営モード無線通信手段によって、一定の時間、例えば３分間、登録モードへ移行している中継器を検索する。次に、前記端末制御装置１１からの応答を受信した登録制御装置４は、ＰＨＳ無線親子通信手段によって、中継器側登録モード移行要求を中継器７へ送信する（▲５▼）。前記登録制御装置４からの中継器側登録モード移行要求を受信した中継器７は、登録モードへ移行する（▲６▼）。
【００５３】
図１０に、中継器側登録モード移行の手順を示す。
【００５４】
中継器７は、待ち受けを行い（３００）、着信したか判定する（３０１）。前記判定結果が着信であった場合、着信番号のサブアドレス番号を取得する（３０２）。前記判定結果が着信でなかった場合は待ち受けに戻る（３００）。次に、前記取得したサブアドレス番号が中継器７に予め記憶されている登録用サブアドレスと一致するか判定し（３０３）、前記判定結果が一致した場合、中継器７は登録モードへ移行し（３０４）する。前記判定結果が一致しなかった場合は待ち受けに戻る（３００）。
【００５５】
登録モードへ移行した中継器７は、ＰＨＳ自営モード無線通信手段によって、一定の時間、例えば１分間、登録モードへ移行している端末を検索する。次に、登録モードへ移行している端末１０が登録モードへ移行している中継器７を登録相手として見つけ、登録モードへ移行している中継器７が登録モードへ移行している端末１０を登録相手として見つけ、端末１０と中継器７は、親子登録を行う（▲７▼）。親子登録を行うと、端末１０のＣＳＩＤ１記憶部５５には、親子登録を行った中継器７の有するＣＳＩＤが登録し記憶される。端末１０は、中継器自動選択手段５４と前記ＣＳＩＤ１記憶部５５に記憶されているＣＳＩＤによって、中継器７とＰＨＳ無線親子通信を行えるようになる。
【００５６】
端末１０は、親子登録の結果を端末制御装置１１へ送信する（▲８▼）。前記親子登録の結果は、例えば親子登録成功時に”登録ＯＫ”、親子登録失敗時に”登録ＮＧ”を送信する。前記送信内容は、親子登録の成功か失敗かを端末制御装置へ送信するものであり、具体的な電文の内容は前記の通りに限定される訳ではない。前記親子登録の結果を受信した端末制御装置１１は、前記受信した親子登録の結果を登録制御装置４へ送信する（▲９▼）。登録制御装置４は、端末制御装置１１から受信した親子登録の結果と該端末の内線番号をディスプレイ２０に表示する（▲９▼’）。▲１▼で複数台の端末の親子登録を指示した場合、登録制御装置４は、端末制御装置１１から受信した前記複数台の親子登録の結果と該端末の内線番号をディスプレイ２０に一覧表示する。又、前記ディスプレイ２０に表示している内容をプリンタ２４で印刷する事も可能である。
【００５７】
以上、本実施例で説明した様に、ＰＨＳ親子自動登録システム１は、作業者が登録制御装置４に親子登録の指示を行うだけで、自動的に親子登録を行い、親子登録の結果をディスプレイ２０に一覧表示する。作業者は、親子登録の結果を全てディスプレイ上で確認する事が出来るので、親子登録を指示した後に親子登録が完了するまで立ち会っている必要がなく、他の作業を行える。
【００５８】
次に、本発明の第２の実施の形態を示す。
【００５９】
本実施の形態は、端末制御装置１１の構成が第１の実施の形態と異なる。又、図２に示したターミナルアダプタ２５に、認証用サブアドレスを予め登録し記憶しておく。ターミナルアダプタ２５の発信時、第１の実施の形態では、ターミナルアダプタ２５が接続されているＮＴＴ電話回線の電話番号が発信先に通知されるが、本実施例では、前記ＮＴＴ電話回線の電話番号の後に前記認証用サブアドレスが付加された番号が発信先に通知される。
【００６０】
図１１に、本実施の形態に於ける、端末制御装置１１の構成を示す。
【００６１】
本実施の形態に於ける端末制御装置１１は、第１の実施の形態に於ける端末制御装置制御ソフトウェア６０に、登録制御装置識別手段６３を追加したものである。前記登録制御装置識別手段６３は、端末１０の着信時に、発信者が登録制御装置４であるか判定し、判定結果が登録制御装置４の場合、データ受信を行う。判定結果が登録制御装置４でなかった場合は待ち受けに戻りデータ受信を行わない。
【００６２】
図１２に、登録制御装置識別の手順を示す。
【００６３】
端末１０は、待ち受けを行い（４００）、着信したか判定する（４０１）。前記判定結果が着信であった場合、端末制御装置１１は、発信番号のサブアドレス番号を取得する（４０２）。前記判定結果が着信でなかった場合は待ち受けに戻る（４００）。次に、前記取得したサブアドレス番号が予め端末制御装置１１に記憶されている認証用サブアドレス番号と一致するか判定し（４０３）、前記判定結果が一致した場合、端末制御装置１１はデータ受信を行う（４０４）。前記判定結果が一致しなかった場合は待ち受けに戻る（４００）。
【００６４】
以上、本実施の形態で説明した様に、ＰＨＳ親子自動登録システム１に於いて、端末制御装置１１の登録制御装置識別手段６３によって、端末１０への他者からの間違い電話や悪戯電話等による誤動作を防ぐ事が可能となる。
【００６５】
【発明の効果】
以上説明したように本発明により以下の効果がある。
【００６６】
第１の効果は、作業者が、中継器と端末の電源オフ／オンを同期させる必要がない事にある。この結果、親子登録の操作の煩雑さが解消される。その理由は、登録制御装置に親子登録を指示するだけで、親子登録が完了する為である。
【００６７】
第２の効果は、複数台の端末の親子登録を行う場合に１台ずつ親子登録を行う必要がない事にある。この結果、親子登録の時間効率が改善される。その理由は、登録制御装置の登録アプリに、親子登録を行う全ての端末の親子登録を一括指示するだけで、前記指示した全ての端末の親子登録が完了する為である。
【００６８】
第３の効果は、端末の複数ＣＳＩＤ同時登録による可用性の向上にある。この結果、運用に使用している中継器が故障した場合でも、別の中継器を準備するだけで、前記別に準備した中継器による運用が可能となる。その理由は、端末が、中継器のＣＳＩＤを複数個同時に記憶し、複数個記憶しているＣＳＩＤから１個のＣＳＩＤを自動的に選択し、通信を行う為である。
【００６９】
第４の効果は、中継器の登録モード移行に関する正確性とセキュリティ機能の向上にある。この結果、他の事業者の登録制御装置での誤操作や間違い電話等による親子登録の誤動作を防止し、親子登録の誤動作による親子登録の誤登録や中継器が登録モード移行中は通信が出来なくなってしまうこと等を防ぐ事が出来る。その理由は、中継器が、登録用サブアドレスによって、登録モード移行の可否の判定を行っている為である。
【００７０】
第５の効果は、端末の登録モード移行に関する正確性とセキュリティ機能の向上になる。この結果、他の事業者の登録制御装置での誤操作や間違い電話等による親子登録の誤動作を防止し、親子登録の誤動作による親子登録の誤登録や端末が登録モード移行中は通信が出来なくなってしまうこと等を防ぐ事が出来る。その理由は、端末を制御する端末制御装置が、認証用サブアドレスによって、登録制御装置からのデータ受信の可否の判定を行っている為である。
【図面の簡単な説明】
【図１】本発明の第一の実施の形態を示すシステム構成図である。
【図２】第一の実施の形態における登録制御装置の構成図である。
【図３】第一の実施の形態における登録用中継器の構成図である。
【図４】第一の実施の形態における中継器の構成図である。
【図５】第一の実施の形態における端末の構成図である。
【図６】第一の実施の形態における端末制御装置の構成図である。
【図７】第一の実施の形態における親子登録の手順の説明図である。
【図８】第一の実施の形態における中継器自動選択手段の動作フローチャートである。
【図９】第一の実施の形態における端末側登録モード移行指示受信手段、及び端末側登録モード移行要求手段の動作フローチャートである。
【図１０】第一の実施の形態における中継器側登録モード移行手段の動作フローチャートである。
【図１１】本発明の第二の実施の形態に於ける端末制御装置の構成図である。
【図１２】第二の実施の形態に於ける登録制御装置識別手段の動作フローチャートである。
【符号の説明】
１    ＰＨＳ親子自動登録システム
２    ＰＨＳ基地局
３    ＰＨＳ基地局アンテナ
４    登録制御装置
５    登録用中継器
６    ＰＨＳアンテナ
７    中継器
８    ＰＨＳアンテナ
９    ＰＨＳアンテナ
１０    端末
１１    端末制御装置
１２    ＩＳＤＮ通信回線網
２０    ディスプレイ
２１    パーソナルコンピュータ
２２    親子登録制御用アプリケーション
２３    キーボード
２４    プリンタ
２５    ターミナルアダプタ
２６    マウス
３０    登録用中継器本体
３１    登録用中継器制御ソフトウェア
３２    中継器側登録モード移行手段
３３    登録用サブアドレス記憶部
４０    中継器本体
４１    中継器制御ソフトウェア
４２    中継器側登録モード移行手段
４３    登録用サブアドレス記憶部
５０    端末本体
５１    端末制御ソフトウェア
５２    端末側登録モード移行手段
５３    複数ＣＳＩＤ同時登録手段
５４    中継器自動選択手段
５５    ＣＳＩＤ１記憶部
５６    ＣＳＩＤ２記憶部
５７    ＣＳＩＤ３記憶部
６０    端末制御装置制御ソフトウェア
６１    端末側登録モード移行指示受信手段
６２    端末側登録モード移行要求手段
６３    登録制御装置識別手段
【図１】
0003560569.tif 000002
【図２】
0003560569.tif 000003
【図３】
0003560569.tif 000004
【図４】
0003560569.tif 000005
【図５】
0003560569.tif 000006
【図６】
0003560569.tif 000007
【図７】
0003560569.tif 000008
【図８】
0003560569.tif 000009
【図９】
0003560569.tif 000010
【図１０】
0003560569.tif 000011
【図１１】
0003560569.tif 000012
【図１２】
0003560569.tif 000013